(57)【要約】【課題】車両ヘッドランプを改良する。【解決手段】電気ヘッドランプは熱伝導性のバックプレート１２を有しており、バックプレートには支持ボード１４が位置決めされている。支持ボードは、第１の側１６と、第２の側１８と、支持ボードを配置するためのボード位置合わせ領域２０とを有している。ボードは、バックプレートに形成された位置合わせ領域を有しており、これらの位置合わせ領域は支持ボードの第２の側に形成された凹所２０ｂと協働する。ＬＥＤ２４の配列２２が支持ボードの第１の側に取り付けられており、ＬＥＤは支持ボードに対して垂直に指している。レンズ２８は、個々のＬＥＤによって放出された光を受け取るための入力面３０と、ＬＥＤからの光を好適なパターンで方向付けるための出力面３２とを有している。カバー３４は、個々のＬＥＤと、レンズとを包囲している。【選択図】図１
2006004947.tif 000002
【特許請求の範囲】
【請求項１】
電気ランプにおいて、
バックプレートが設けられており、
第１の側と、第２の側と、１つ又は２つ以上のボード位置合わせ領域とを備えた支持ボードが設けられており、
支持ボードの第１の側に取り付けられたＬＥＤの配列が設けられており、前記ＬＥＤが、概して支持ボードに対して垂直に向けられており、
ＬＥＤに電力を供給するために支持ボード上に形成された電気回路が設けられており、
個々のＬＥＤのための個々のＬＥＤレンズが設けられており、該ＬＥＤレンズが、個々のＬＥＤによって放射された光を受け取るための入力面と、ＬＥＤからの光を好適なパターンで方向付けるように形成された出力面とを有しており、
個々のＬＥＤレンズを包囲し、周方向でバックプレートにシールされたカバーが設けられていることを特徴とする、電気ランプ。
【請求項２】
バックプレートがヒートシンクを有している、請求項１記載の電気ランプ。
【請求項３】
それぞれのＬＥＤレンズが、個々に形成され、支持ボードと位置合わせされて支持されている、請求項１記載の電気ランプ。
【請求項４】
支持ボードが平坦である、請求項１記載の電気ランプ。
【請求項５】
前記配列と同様に取り付けられ、レンズが設けられ、第２の電気回路に電気的に接続されたＬＥＤの第２の配列が設けられており、同じ囲われた範囲の中で第２の作動ランプを提供している、請求項１記載の電気ランプ。
【請求項６】
ランプが車両ヘッドランプである、請求項１記載の電気ランプ。
【請求項７】
ランプが車両ヘッドランプである、請求項５記載の電気ランプ。
【発明の詳細な説明】
【技術分野】
【０００１】
関連する出願に対するクロスリファレンス
本願は、２００４年６月１７日に出願された仮特許出願連続番号第６０／５８０４１２号の優先権を主張する。
【０００２】
本発明は、光源、特に発光ダイオード（ＬＥＤ）を用いる光源に関する。さらに具体的には、本発明は、車両ヘッドランプとして使用されることができる高密度ＬＥＤ配列を有するランプに関する。
【背景技術】
【０００３】
ＬＥＤランプは、その長寿命及び合理的電力需要によりランプのより一般的な白熱タイプに代わるものとして受け入れられてきた。これらの使用は特に自動車産業において存在し、ここでは、ＬＥＤを用いるランプは、テールランプ及びストップライト、例えば所要のセンター・ハイマウント・ストップランプ（ＣＨＭＳＬ）として使用されている。しかしながら、ＬＥＤは、その光出力が時間とともに増大した固体デバイスであるとしても、幾つかの用途、例えば前記自動車用途、に必要な電力要求において駆動された場合、ランプによって発生する熱が問題となり、このことは熱シールド又は熱放散の付加を必要とし、ランプのコストを増大する。例えばＬＥＤをヘッドライト用途において使用するために、ランプの光出力が高まるにつれてＬＥＤソースの密度が高まるので、発生した熱は重大な問題となる。また、ＬＥＤの積層密度は、ＬＥＤ自体における物理的な問題となる。
【０００４】
これらの問題を回避するための１つの方法が、本発明の譲受人に譲渡された２００４年１１月９日に出願された係属中の米国特許出願連続番号第１０／９８４４５７号明細書に示されている。このアプローチは、優れた熱放散を備えた照明の仮想ポイントソースを達成するために、積層ＬＥＤ及び光ファイバを使用する。機能はするが、これは複雑であり、ＬＥＤと光学系との良好な整合を必要とする。ＬＥＤが、車両ヘッドランプのために効率的かつ経済的な形式で使用されることができ、ロービーム及びハイビームの両方を提供することができるならば、技術分野における進歩になるであろう。
【特許文献１】米国特許出願連続番号第１０／９８４４５７号明細書
【発明の開示】
【発明が解決しようとする課題】
【０００５】
したがって、本発明の課題は従来技術の欠点を排除することができる。
【０００６】
本発明の別の課題は、車両ヘッドランプを改良することである。
【課題を解決するための手段】
【０００７】
これらの課題は、発明の１つの態様によれば、バックプレートが設けられており、第１の側と、第２の側と、１つ又は２つ以上のボード位置合わせ領域を備えた支持ボードが設けられており、支持ボードの第１の側に取り付けられたＬＥＤの配列が設けられており、前記ＬＥＤが、概して支持ボードに対して垂直な点に向けられており、ＬＥＤに電力を供給するために支持ボード上に形成された電気回路が設けられており、個々のＬＥＤのための個々のＬＥＤレンズが設けられており、該ＬＥＤレンズが、個々のＬＥＤによって放射された光を受け取るための入力面と、ＬＥＤからの光を好適なパターンで方向付けるように形成された出力面とを有しており、個々のＬＥＤレンズを包囲し、周方向でバックプレートとシールしたカバーが設けられている、電気ランプを提供することによって達成される。
【０００８】
有利な実施形態において、ランプはＬＥＤの２つの配列を有することができ、各配列は自己の回路を備えており、これにより、ランプが車両ヘッドランプとして使用される場合にロービーム及びハイビームの両方を提供することができる。
【発明を実施するための最良の形態】
【０００９】
本発明の他の課題、利点及び可能性と共に本発明をよりよく理解するために、後述の図面に関連して以下の開示及び請求項が参照される。
【００１０】
ここで図面をより具体的に参照すると、図面には電気ランプ１０、例えば車両のためのヘッドランプが示されている。ランプ１０は、適切な熱伝導性材料、例えばアルミニウムから成るバックプレート１２を有しており、このバックプレートには支持ボード１４が配置されている。支持ボード１４は第１の側１６と第２の側１８と、支持ボードをバックプレート上に配置するための１つ又は２つ以上のボード位置合わせ領域２０とを有している。図示したように、ボード位置合わせ領域２０は、バックプレートに形成された突起２０ａから成り、これらの突起は支持ボードの第２の側１８に形成された凹所２０ｂと協働する。
【００１１】
ＬＥＤ２４の配列２２は支持ボード１４の第１の側１６に取り付けられており、ＬＥＤは概して支持ボード１４に対して垂直に向けられている。配列は、Ｘ−Ｙマトリックスフォーマット又はその他の構成に配置されることができる。電気回路２６（概略的にのみ示されている）は、ＬＥＤに電力を供給するために支持ボード１４の第１の側１６に形成されている。電気回路への電力はあらゆる慣用の方法によって供給することができる。
【００１２】
レンズ２８は個々のＬＥＤ２４に関連しており、これらのレンズ２８は、個々のＬＥＤによって放射された光を受け取るための入力面３０と、ＬＥＤ２４からの光を好適なパターンで方向付けるように形成された出力面３２とを有している。カバー３４は、個々のＬＥＤ２４及びレンズ２８を包囲しており、周方向で溝１２ａを介してバックプレート１２にシールされている。望まれるならば、カバー３４には１つ又は複数のレンズが設けられることもできる。択一的に、個々のレンズ２８の代わりに、２つ以上のＬＥＤ２４を覆う１つのレンズを用いることができる。
【００１３】
バックプレート１２は、複数の熱放散フィン３６ａの形式であることができるヒートシンク３６を有している。
【００１４】
発明の好適な実施形態において、それぞれのＬＥＤレンズ２８は個々に形成され、支持ボード１４と整合して支持されている。
【００１５】
電気ランプ１０が、包括的車両ヘッドライトとして機能するために、前記配列と同様に取り付けられ、レンズが設けられ、第２の電気回路４２に電気的に接続されたＬＥＤ２４の第２の配列４０が設けられており、この第２の配列は、同じ囲われた範囲の中に第２の作動ランプを提供している。この実施例において、一方の配列がロービームとして機能することができ、他方の配列がハイビームとして機能することができる。択一的に、例えば、車両が回転しているときに照明を高めるために付加的な配列を設けることができる。
【００１６】
このように、熱放散が良好で、光ファイバ等の光ガイドを必要としない、ＬＥＤを用いる電気ランプが提供される。
【００１７】
現時点で発明の好適な実施形態であると考えられるものが示されて説明されたが、添付の請求項によって規定された発明の範囲から逸脱することなく実施例に様々な変更及び修正を加えることができることは当業者に明らかになるであろう。
【図面の簡単な説明】
【００１８】
【図１】発明の実施形態の概略的な図である。
【符号の説明】
【００１９】
１０  電気ランプ、  １２  バックプレート、  １４  支持ボード、  １６  第１の側、  １８  第２の側、  ２０  ボード位置合わせ領域、  ２０ａ  突起、  ２０ｂ  凹所、  ２２  配列、  ２４  ＬＥＤ、  ２６  電気回路、  ２８  レンズ、  ３０  入力面、  ３２  出力面、  ３４  カバー、  ３６  ヒートシンク、  ３６ａ  熱放散フィン、  ４０  第２の配列、  ４２  第２の電気回路
【図１】
2006004947.tif 000003